(57)【特許請求の範囲】
【請求項１】
被写体を撮像し、撮像画像を拡大・縮小するズーム機能を有する撮像装置であって、
前記ズーム機能による拡大／縮小のズーム操作を実行する操作手段と、
前記撮像画像を表示する表示手段と、
前記撮像画像中の所望の部分領域を指定する指定手段と、
前記指定手段により指定された指定領域と、非指定領域とを異なる特性で圧縮する圧縮手段と、
前記操作手段によるズーム操作に基づいて、前記指定領域を制御する制御手段とを備え、
前記制御手段は、前記操作手段によるズーム操作中は、前記指定領域の変更を禁止し、前記ズーム操作完了後、該ズーム操作の操作内容に基づいて該指定領域を変更する
ことを特徴とする撮像装置。
【請求項２】
前記圧縮手段は、前記指定領域を前記非指定領域よりも低圧縮率で圧縮する
ことを特徴とする請求項１に記載の撮像装置。
【請求項３】
前記圧縮手段は、離散ウェーブレット変換を含む
ことを特徴とする請求項１に記載の撮像装置。
【請求項４】
前記表示手段は、前記指定領域と前記非指定領域とを区別して表示する
ことを特徴とする請求項１に記載の撮像装置。
【請求項５】
被写体を撮像し、撮像画像を拡大・縮小するズーム機能を有する撮像装置の制御方法であって、
前記撮像画像を表示する表示工程と、
前記撮像画像中の所望の部分領域を指定する指定工程と、
前記指定工程により指定された指定領域と、非指定領域とを異なる特性で圧縮する圧縮工程と、
前記ズーム機能による拡大／縮小のズーム操作に基づいて、前記指定領域を制御する制御工程とを備え、
前記制御工程は、前記ズーム操作中は、前記指定領域の変更を禁止し、前記ズーム操作完了後、該ズーム操作の操作内容に基づいて該指定領域を変更する
ことを特徴とする撮像装置の制御方法。
【請求項６】
前記圧縮工程は、前記指定領域を前記非指定領域よりも低圧縮率で圧縮する
ことを特徴とする請求項５に記載の撮像装置の制御方法。
【請求項７】
前記圧縮工程は、離散ウェーブレット変換を含む
ことを特徴とする請求項５に記載の撮像装置の制御方法。
【請求項８】
前記表示工程は、前記指定領域と前記非指定領域とを区別して表示する
ことを特徴とする請求項５に記載の撮像装置の制御方法。
【請求項９】
被写体を撮像し、撮像画像を拡大・縮小するズーム機能を有する撮像装置の制御をコンピュータに実行させるためのプログラムが格納されたコンピュータ可読メモリであって、
前記撮像画像を表示する表示工程と、
前記撮像画像中の所望の部分領域を指定する指定工程と、
前記指定工程により指定された指定領域と、非指定領域とを異なる特性で圧縮する圧縮工程と、
前記ズーム機能による拡大／縮小のズーム操作に基づいて、前記指定領域を制御する制御工程とをコンピュータに実行させるためのプログラムが格納され、
前記制御工程は、前記ズーム操作中は、前記指定領域の変更を禁止し、前記ズーム操作完了後、該ズーム操作の操作内容に基づいて該指定領域を変更する
ことをコンピュータに実行させるためのプログラムが格納されたコンピュータ可読メモリ。
【発明の詳細な説明】
【０００１】
【発明の属する技術分野】
本発明は、被写体を撮像し、撮像画像を拡大・縮小するズーム機能を有する撮像装置及びその制御方法、コンピュータ可読メモリに関するものである。
【０００２】
【従来の技術】
図２５は従来の撮像装置の構成を示す図である。
【０００３】
１１は画像を拡大縮小するズームレンズ、１２は画像を合焦させるフォーカスレンズ、１３は画像を光電変換するＣＣＤ、１４はアナログ信号をデジタル信号（画像データ）に変更するＡ／Ｄ変換器、１５は撮像した画像を調整するカメラ信号処理回路、１６は画像データを一時的に記憶するバッファメモリ、１７はデジタル信号をアナログ信号に変換するＤ／Ａ変換器、１８は撮像した画像を表示するモニタ、１９ａはフォーカスレンズ１２を移動させるフォーカスモータ、１９ｂはフォーカスモータ１９ａを駆動制御するフォーカスモータドライバ、２０ａはズームレンズ１１を移動させるズームモータ、２０ｂはズームモータ２０ａを駆動制御するズームモータドライバ、２１はズームレンズ１１の位置を検出するズームエンコーダ、３９はズーム値に応じた合焦曲線情報を得るためのカムテーブル、２２は各回路を制御するシステムコントローラ、２３は画像データを圧縮する圧縮回路、２４は圧縮された画像データを記録する記録回路、２５はズーム操作を行うズームレバーおよびスイッチである。
【０００４】
被写体からの光は、ズームレンズ１１、フォーカスレンズ１２を通って、ＣＣＤ１３の撮像面に結像される。この撮像面上の像はＣＣＤ１３で光電変換され、Ａ／Ｄ変換回路１４によりデジタル信号（画像データ）に変換され、カメラ信号処理回路１５で画質調整され、調整された画像データはバッファメモリ１６に記憶される。
【０００５】
ズームレバー２５でズーム指示が与えられると、テレ（Ｔ），ワイド（Ｗ）方向に変倍動作を行うため、ズームレバー２５のｓｗ１、ｓｗ２が押圧状態を検出し、検出結果に応じてシステムコントローラ２２からズームモータドライバ２０ｂへ信号を送り、ズームモータ２０ａを介してズームレンズ１１を移動させる。そして、同時に、システムコントローラ２２はカムテーブル３９より合焦曲線情報を取得し、取得された合焦情報に基づいてフォーカスモータドライバ１９ｂに信号を送り、フォーカスモータ１９ａを介してフォーカスレンズ１２を移動させることで合焦状態を維持しながら変倍動作を行う。
【０００６】
バッファメモリ１６に記憶された画像データ（デジタル信号）は、Ｄ／Ａ変換回路１７で、アナログ信号に変換され、液晶表示装置（ＬＣＤ）等のモニタ１８に表示される。
【０００７】
一方、バッファメモリ１６に記憶された画像データは、圧縮回路２３において高能率符号化処理が施されて圧縮され、圧縮された画像データは記録回路２４において記録媒体に記録される。
【０００８】
次に、従来のデジタルビデオカメラ等の撮像装置に用いられているＤＣＴ（離散コサイン変換）ベースの高能率符号化処理を行う圧縮処理装置について、図２６を用いて説明する。
【０００９】
図２６は従来の撮像装置における圧縮処理装置の構成を示すブロック図である。
【００１０】
２６はＤＣＴブロックを形成するブロック化処理回路、２７はブロック化された画像データを並び替え（シャフリング）するシャフリング回路、２８は直交変換を施すＤＣＴ処理回路、２９は画像データを量子化する量子化処理回路、３０は量子化された画像データをハフマン符号等を用いて符号化する符号化処理回路、３１は並び替えされた画像データを元に戻すように並び替え（デシャフリング）するデシャフリング回路、３２は量子化処理回路２９における量子化係数を設定する係数設定回路である。
【００１１】
バッファメモリ１６から出力された画像データは、ブロック化処理回路２６にて各々８×８画素から成るブロックに分割される。そして、輝度信号が４個、色差信号が各１個の合計６個のＤＣＴブロックからマクロブロックを１つ構成する。次に、マクロブロック単位でシャフリング回路２７において、シャフリングを行い情報量の平準化を図った後、ＤＣＴ処理回路２８により直交変換が行われる。ＤＣＴ処理回路２８から出力された周波数係数データは、量子化処理回路２９に入力される。次に、各周波数成分毎の係数データの集合を係数設定回路３２から設定された量子化係数にて除算する。次に、量子化された各周波数成分毎の係数データの集合を、符号化処理回路３０においてハフマン符号処理を施し可変長化し、デシャフリング回路３１において元の画像配列に戻し、記録回路２４に出力する。このようにして、データ量を５分の１程度圧縮させている。
【００１２】
【発明が解決しようとする課題】
しかしながら、上記従来のビデオカメラ等の撮像装置においては、画像を全体的に平準化した後に、圧縮していたため、更に高能率で符号化した場合、全体の画質が低下してしまう恐れがある。
【００１３】
本発明は上記従来の問題点に鑑みてなされたものであり、目的に応じて撮影画像中の特定領域の圧縮率を容易にかつ効率的に指定することができ、かつ処理された画像を容易に管理することができる撮像装置及びその制御方法、コンピュータ可読メモリを提供することを目的とする。
【００１４】
【課題を解決するための手段】
上記の目的を達成するための本発明による撮像装置は以下の構成を備える。即ち、
被写体を撮像し、撮像画像を拡大・縮小するズーム機能を有する撮像装置であって、
前記ズーム機能による拡大／縮小のズーム操作を実行する操作手段と、
前記撮像画像を表示する表示手段と、
前記撮像画像中の所望の部分領域を指定する指定手段と、
前記指定手段により指定された指定領域と、非指定領域とを異なる特性で圧縮する圧縮手段と、
前記操作手段によるズーム操作に基づいて、前記指定領域を制御する制御手段とを備え、
前記制御手段は、前記操作手段によるズーム操作中は、前記指定領域の変更を禁止し、前記ズーム操作完了後、該ズーム操作の操作内容に基づいて該指定領域を変更する。
【００１８】
また、好ましくは、前記圧縮手段は、前記指定領域を前記非指定領域よりも低圧縮率で圧縮する。
【００１９】
また、好ましくは、前記圧縮手段は、離散ウェーブレット変換を含む。
【００２０】
また、好ましくは、前記表示手段は、前記指定領域と前記非指定領域とを区別して表示する。
【００２１】
上記の目的を達成するための本発明による撮像装置の制御方法は以下の構成を備える。即ち、
被写体を撮像し、撮像画像を拡大・縮小するズーム機能を有する撮像装置の制御方法であって、
前記撮像画像を表示する表示工程と、
前記撮像画像中の所望の部分領域を指定する指定工程と、
前記指定工程により指定された指定領域と、非指定領域とを異なる特性で圧縮する圧縮工程と、
前記ズーム機能による拡大／縮小のズーム操作に基づいて、前記指定領域を制御する制御工程とを備え、
前記制御工程は、前記ズーム操作中は、前記指定領域の変更を禁止し、前記ズーム操作完了後、該ズーム操作の操作内容に基づいて該指定領域を変更する。
【００２２】
上記の目的を達成するための本発明によるコンピュータ可読メモリは以下の構成を備える。即ち、
被写体を撮像し、撮像画像を拡大・縮小するズーム機能を有する撮像装置の制御をコンピュータに実行させるためのプログラムが格納されたコンピュータ可読メモリであって、
前記撮像画像を表示する表示工程と、
前記撮像画像中の所望の部分領域を指定する指定工程と、
前記指定工程により指定された指定領域と、非指定領域とを異なる特性で圧縮する圧縮工程と、
前記ズーム機能による拡大／縮小のズーム操作に基づいて、前記指定領域を制御する制御工程とをコンピュータに実行させるためのプログラムが格納され、
前記制御工程は、前記ズーム操作中は、前記指定領域の変更を禁止し、前記ズーム操作完了後、該ズーム操作の操作内容に基づいて該指定領域を変更する
ことをコンピュータに実行させるためのプログラムが格納されたコンピュータ可読メモリ。
【００２３】
【発明の実施の形態】
以下、図面を参照して本発明の好適な実施形態の詳細について説明する。
（実施形態１）
はじめに、本発明において、利用される高能率符号化処理を行う圧縮回路の基本構成について説明する。
【００２４】
図１は本発明の実施形態１で利用される圧縮回路の基本構成を示すブロック図である。
【００２５】
図１において、１は画像入力部、２は離散ウェーブレット変換部、３は量子化部、４はエントロピ符号化部、５は符号出力部、６は領域指定部である。
【００２６】
まず、画像入力部１に対して符号化対象となる画像を構成する画素信号がラスタースキャン順に入力され、その出力は離散ウェーブレット変換部２に入力される。以降の説明では、画像信号はモノクロの多値画像を表現しているが、カラー画像等、複数の色成分を符号化するならば、ＲＧＢ各色成分、あるいは輝度、Ｒ−Ｙ、Ｂ−Ｙ等の色度成分を上記同様に独立して圧縮すればよい。
【００２７】
離散ウェーブレツト変換部２は、入力された画像信号に対して２次元離散ウェーブレット変換処理を行い、変換係数を計算して出力する。ここで、離散ウェーブレット変換部２の基本構成について、図２を用いて説明する。
【００２８】
図２は本発明の実施形態１の離散ウェーブレット変換部の基本構成を示す図である。
【００２９】
図２において、入力された画像信号ｘは処理用バッファメモリ２ａに記憶され、処理部２ｂにより順次読み出されて離散ウェーブレット変換処理が行われ、再びメモリ２ａに書きこまれる。ここで、処理部２ｂにおける処理の構成について説明する。処理部２ｂ内のシーケンス制御回路２０２の読み込み指示があると、アドレス制御回路２０１で指定されたアドレスで処理用バッファメモリ２ａに記憶された画像信号ｘは処理部２ｂに読み込まれる。次に、読み込まれた画像信号ｘは、遅延素子２０３およびダウンサンプラ２０４の組み合わせにより、偶数アドレスおよび奇数アドレスの信号に分離され、２つのフィルタ２０５（ｐ）および２０６（ｕ）によりフィルタ処理が施される。同図のｓおよびｄは、各々１次元の画像信号に対して１レベルの分解を行った際のローパス係数およびハイパス係数を表しており、次式により計算されるものとする。
【００３０】
d(n)=X(2*n+1)-floor((x(2*n)+x(2*n+2))/2)        （式１）
S(n)=x(2*n)+floor((d(n-1)+d(n))/4)              （式２）
ここで、ｘ(n)は、変換対象となる画像信号である。また、floor(x)は、x未満の整数の中で最も大きい整数値を表す。
【００３１】
シーケンス制御回路２０２によって書き込みの指示を出すと１レベルの分解を行なったローパス係数ｓとハイパス係数ｄは、アドレス制御回路２０１で指定されたアドレスで処理用バッファメモリ２ａに再び記憶される。
【００３２】
以上の処理により、画像信号ｘに対する１次元離散ウェーブレット変換処理が行われる。
【００３３】
次に、２次元離散ウエーブレット変換の構成について、図３を用いて説明する。
【００３４】
図３は本発明の実施形態１の２次元離散ウエーブレット変換の構成を示す図である。
【００３５】
図３において、２次元離散ウェーブレット変換は、１次元離散ウェーブレット変換を画像の水平・垂直方向に対して順次行うものである。入力画像信号は水平方向にウェーブレット変換処理が施され、ローパス係数、ハイパス係数に分解される。その後、ダウンサイジング（下向き矢印）によりデータが半分に間引かれる。この出力された画像信号に対して前記水平および垂直にローパスフィルタを施した成分に対しては、前記処理を繰り返すことにより、結果的に生成される係数成分としては、水平および垂直方向の周波数分割を低周波数領域にデータ量を低減させた係数データが蓄積されていくことになる。ここで、図４は２次元離散ウェーブレット変換処理により得られる２レベルの係数データ群の構成例であり、画像信号は異なる周波数帯域の係数列ＨＨ１，ＨＬ１，ＬＨ１，ＨＨ２，ＨＬ２，ＬＨ２，ＬＬに分解される。尚、以降の説明では、これらの係数データ列をサブバンドと呼ぶ。各サブバンドの係数データは、後続の量子化部３に出力される。
【００３６】
再び、図１の説明に戻る。
【００３７】
領域指定部６は、符号化対象となる画像内で、周囲部分と比較して高画質で復号化されるべき領域（ＲＯＩ：region of interesting）を指定し、対象画像を離散ウェーブレット変換した際にどの係数データが指定領域に属しているかを示すマスク情報を生成する。ここで、マスク情報の一例について、図５を用いて説明する。
【００３８】
図５は本発明の実施形態１のマスク情報の一例を示す図である。
【００３９】
図５において、所定の指示入力により、左側に示す入力画像内の星型の領域が指定された場合に、領域指定部６は、この指定領域を含む画像を離散ウェーブレット変換した際の該指定領域が各サブバンドに占める部分を計算する。また、マスク情報の示す領域は、指定領域境界上の画像信号を復元する際に必要な周囲の係数データを含む範囲となっている。
【００４０】
このようにして計算されたマスク情報の例が、図５の右側に示される。この例においては、同図左側の画像に対し２レベルの離散ウェーブレット変換を施した際のマスク情報が図のように計算される。図中において、星型の部分が指定領域であり、この領域内のマスク情報のビットは１、それ以外のマスク情報のビットは０となっている。これらマスク情報全体は２次元離散ウェーブレット変換による係数データの構成と同じであるため、マスク情報内のビットを検査することで対応する位置の係数データが指定領域内に属しているかどうかを識別することができる。このようにして生成されたマスク情報が、量子化部３に出力される。
【００４１】
さらに、領域指定部６は、指定領域に対する画質を指定するパラメータを不図示の入力系から入力する。パラメータは指定領域に割り当てる圧縮率を表現する数値、あるいは画質を表す数値でもよい。領域指定部６は、このパラメータから、指定領域における係数データに対するビットシフト量Ｂを計算し、マスクと共に量子化部３に出力する。
【００４２】
量子化部３は、入力された係数データを所定の量子化係数により量子化し、その量子化値に対するインデックスを出力する。ここで、量子化は次式により行われる。
【００４３】
q=sign(c)floor(abs(c)/Δ)           （式３）
sign(c)=1;c＞=0                      （式４）
sign(c)=-1;c＜0                      （式５）
ここで、ｃは量子化対象となる係数データである。また、Δは量子化係数であり、値として１を含むものとする。この場合、実際に量子化は行われない。
【００４４】
次に、量子化部３は、領域指定部６から入力されたマスク情報およびビットシフト量Ｂに基づき、次式により量子化インデックスを変更する。
【００４５】
q*=q*2B;m=1              （式６）
q*=q    ;m=0                        （式７）
ここで、ｍは当該量子化インデックスの位置におけるマスク情報の値である。以上の処理により、領域指定部６において指定された空間領域に属する量子化インデックスのみがビットシフト量Ｂのビット数上方にシフトアップされる。ここで、シフトアップによる量子化インデックスの変化例について、図６を用いて説明する。
【００４６】
図６は本発明の実施形態１のシフトアップによる量子化インデックスの変化例を示す図である。
【００４７】
図６の上段において、３つのサブバンドに各々３個の量子化インデックスが存在しており、網がけされた量子化インデックスにおけるマスク情報の値が１で、ビットシフト量Ｂが２の場合、シフト後の量子化インデックスは同図の下段のようになる。このようにして、変更された量子化インデックスは、後続のエントロピ符号化部４に出力される。
【００４８】
エントロピ符号化部４は、入力された量子化インデックスをビットプレーンに分解し、ビットプレーンを単位に２値算術符号化を行ってコードストリームを出力する。ここで、エントロピ符号化部４の動作について、図７を用いて説明する。
【００４９】
図７は本発明の実施形態１のエントロピ符号化部４の動作を説明する図である。
【００５０】
この例においては、４×４の大きさを持つサブバンド内の領域において非０の量子化インデックスが３個存在しており、それぞれ＋１３，−６，＋３の値を持っている。エントロピ符号化部４は、このサブバンド内の領域を走査して最大値Ｍを求め、次式により最大の量子化インデックスを表現するための必要なビット数Ｓを計算する。
【００５１】
S=ceil(log2(abs(M)))                （式８）
ここで、ceil(x)は、ｘ以上の整数の中で最も小さい整数値を表す。
【００５２】
図７においては、最大値は１３であるので、上式（８）によってＳは４となる。そのため、シーケンス中の１６個の量子化インデックスは、同図右側に示すように４つのビットプレーンを単位として処理が行われる。最初に、エントロピ符号化部４は最上位ビットプレーン（同図ＭＳＢで表す）の各ビットを２値算術符号化し、ビットストリームとして出力する。
【００５３】
次に、ビットプレーンを１レベル下げ、以下同様に対象ビットプレーンが最下位ビットプレーン（同図ＬＳＢで表す）に至るまで、ビットプレーン内の各ビットを符号化し符号出力部５に出力する。この時、各量子化インデックスの符号は、ビットプレーン走査において最初の非０ビットが検出されるとそのすぐ後に当該量子化インデックスの符号がエントロピ符号化される。
【００５４】
上述した処理において、符号化対象となる画像全体の圧縮率は、量子化係数Δを変更することにより制御することが可能である。
【００５５】
そして、実施形態１では、エントロピ符号化部４において符号化するビットプレーンの下位ビットを必要な圧縮率に応じて制限（廃棄）することにより、全てのビットプレーンは符号化されず上位ビットプレーンから所望の圧縮率に応じた数のビットプレーンまでが符号化される。
【００５６】
上記下位ビットプレーンを制限する機能を利用すると、図５に示した指定領域に相当するビットのみが多く符号列に合まれることになる、即ち、上記指定領域のみ低圧縮率で符号化され高画質な画像として圧縮することが可能となる。
【００５７】
次に、上記の圧縮回路を利用した撮像装置（ビデオカメラ）について、図８を用いて説明する。
【００５８】
図８は本発明の実施形態１の撮像装置の外観図であり、図９は本発明の実施形態１の撮像装置の構成を示すブロック図であり、図１０は本発明の実施形態１のズームレバー検出回路の詳細構成を示す図である。
【００５９】
尚、本撮像装置（例えば、ビデオカメラ）は、動画像または（及び）静止画像を撮像できるものとする。また、図２５に示した従来の撮像装置と同じ構成要素については、同じ参照番号を付加し、機能が同じ構成要素については、その詳細説明について省略する。
【００６０】
１１はズーム倍率を変更するズームレンズ、２０ａはズームレンズ１１を移動させるズームモータ、２０ｂはズームモータ２０ａの速度を制御して駆動させるズームモータドライバ、２１はズームレンズ１１の位置を検出するズームエンコーダ、２５ａはズームレンズ１１を広角側に移動させる指示を出すワイドスイッチ（Ｗ）、２５ｂはズームレンズ１１を望遠側に移動させる指示を出すテレスイッチ（Ｔ）、３５はズームレバー２５の押圧状態を検出するズームレバー検出回路、３５ａはワイドスイッチ２５ａの押圧状態を検出するワイド指示検出部、３５ｂはテレスイッチ２５ｂの押圧状態を検出するテレ指示検出部、３４はモニタ１８に表示される画像中の任意の領域を指定する領域指定レバー、３８は領域指定レバー３４の押圧状態を検出する領域指定レバー検出回路、３３は領域指定レバー３４により指定した領域を領域情報として生成する領域検出器、１６は画像データと領域情報を記憶するバッファメモリ、３２は領域情報から指定領域を示す画像を生成し撮像データと多重して表示用信号を生成する表示制御回路、２３は領域情報に基づいて指定領域と非指定領域を各々符号化する圧縮回路である。
【００６１】
被写体からの光は、ズームレンズ１１により変倍され、変倍された光はフォーカスレンズ１２により合焦され、合焦された光はＣＣＤ１３の撮像面に結像される。この撮像面上の像はＣＣＤ１３で光電変換され、Ａ／Ｄ変換回路１４によりデジタル信号（画像データ）に変換される。デジタル信号は、カメラ信号処理回路１５でカラー画像を構成しゲインやホワイトバランスなど画質調整される。カメラ信号処理回路１５により出力された画像データ（デジタル信号）は、バッファメモリ１６に記憶され、表示制御回路３２により表示用信号が生成された後、Ｄ／Ａ変換器１７によりアナログ信号に変換され、モニタ１８に表示される。尚、バッファメモリ１６の出力は、遅延時間が充分短いものとしているが撮影に支障をきたす場合にはバッファメモリ１６の前あるいは途中から表示制御回路３２へ画像データを供給するようにしてもよい。
【００６２】
一方、バッファメモリ１６に記憶された画像データは圧縮回路２３により符号化処理が施されて圧縮され、圧縮された画像データは磁気テープ、光ディスクや半導体メモリなどを用いた記録回路２４に記録される。
【００６３】
ここで、モニタ１８に表示された画像を用いて領域指定レバー３４により高画質で復号化されるべき領域（高画質領域）を指定した場合、指定領域は領域検出回路３３で領域情報が生成され、バッファメモリ１６に記憶される。バッファメモリ１６に記憶された画像データと領域情報は表示制御回路３２に送られ、画像データに指定領域を示す枠が多重された表示用信号が生成される。指定領域が多重された表示用信号は、Ｄ／Ａ変換回路１７においてアナログ信号に変換され、モニタ１８に表示される。ここで、モニタ１８の出力状態例について、図１１を用いて説明する。
【００６４】
図１１は本発明の実施形態１のモニタの出力状態例を示す図である。
【００６５】
図１１は、領域指定レバー３４により高画質領域を指定した後の表示画像の一例であり、指定領域と非指定領域が区別できるように表示される。つまり、指定領域は、矩形１０００で示される。
【００６６】
一方、バッファメモリ１６に記憶された画像データと領域情報は、圧縮回路２３に送られ、画像データは領域情報に基づいて高画質に圧縮する部分（指定領域）と通常に圧縮する部分（非指定領域）と分けて符号化処理が施されて圧縮され、記録回路２４に記録される。
【００６７】
次に、実施形態１における撮像装置のズーム操作について説明する。
【００６８】
実施形態１における撮像装置は、ズームレバー２５を操作することによってズーム操作を行うことができる。
【００６９】
具体的な操作について、図１０を用いて説明する。
【００７０】
ワイドスイッチ２５ａが押されると、ズームレバー検出回路３５内にあるワイド指示検出部３５ａが、このワイドスイッチ２５ａの押圧状態を検知してシステムコントローラ２２に縮小の指示を送る。同様に、テレスイッチ２５ｂが押されると、ズームレバー検出回路３５内にあるテレ指示検出部３５ｂが、このテレスイッチ２５ｂの押圧状態を検知してシステムコントローラ２２に拡大の指示を送る。
【００７１】
これらの情報をもとに、システムコントローラ２２では、システムコントローラ２２は、拡大・縮小を行うためにズームモータドライバ２０ｂに指示しズームモータ２０ａの回転を制御しズームレンズ１１を移動させる。また、フォーカスモータドライバ１９ｂは設定されたズーム値に対応するカムテーブル３９の合焦曲線情報に基づいてフォーカスモータ１９ａを制御しフォーカスレンズ１２を移動させる。
【００７２】
次に、撮像装置の圧縮回路２３の詳細構成について、図１２を用いて説明する。
【００７３】
図１２は本発明の実施形態１の圧縮回路の詳細構成を示す図である。
【００７４】
４０は入力画像データをサブバンドに分解するウェーブレット変換器、４１は分解された各サブバンドのどの係数データが指定領域に属しているかを示すマスク情報を生成し、更にマスク情報の占める割合を算出する占有率算出回路、４２はマスク情報内の画像データのビットシフト量を計算するビットシフト量計算回路、４３は量子化を行う量子化処理回路、４８は圧縮に関するパラメータや量子化係数を設定する係数設定回路、４４はビットシフト量に応じて量子化インデックスを変更するインデックス変更回路、４５は量子化インデックスをビットプレーンに分解するビットプレーン分解回路、４６は記録レートを制限する符号化制御回路、４７は２値算術符号化回路である。
【００７５】
バッファメモリ１６に格納された画像データは、ウェーブレット変換回路４０によってサブバンドに分割される。分割されたサブバンドは占有率算出回路４１においてマスク情報を生成し、各サブバンドにおけるマスク情報の占有率を計算する。
【００７６】
ビットシフト量計算回路４２は、指定領域に対する画質を指定するパラメータを係数設定回路４８から取得する。パラメータは指定領域に割り当てる圧縮率を表現する数値、あるいは画質を表す数値でもよい。このパラメータから、指定領域における係数データに対するビットシフト量を計算し、マスク情報と共に量子化処理回路４３に出力する。量子化処理回路４３は、係数設定回路４８から設定された量子化係数により係数データを除算して量子化し、その量子化値に対する量子化インデックスを出力する。
【００７７】
インデックス変更回路４４において、指定された空間領域に属する量子化インデックスのみ上方にシフトアップされる。このように変更された量子化インデックスは、後続のビットプレーン分解回路４５に出力される。ビットプレーン分解回路４５において、入力された量子化インデックスがビットプレーンに分解される。次に、符号化制御回路４６において、圧縮後のフレーム全体のデータサイズを決定するためのビットプレーンが計算される。次に、２値算出符号化回路４７において、最上位ビットプレーンから順に２値算術符号化され、ビットストリームとして出力する。このビットストリームは、計算されたビットプレーンまでが出力される。
【００７８】
次に、高画質領域を指定する方法について、図１３、図１４、図１５を用いて説明する。図１３は本発明の実施形態１の領域指定レバーの詳細構成を示す図であり、図１４は本発明の実施形態１の領域指定レバー検出回路の詳細構成を示す図であり、図１５は本発明の実施形態１のモニタの表示画像の一例を示す図である。
【００７９】
図１３において、３４ａはカーソルを上方向に移動させる指示を与える上方指定レバー、３４ｂはカーソルを右方向に移動させる指示を与える右方指定レバー、３４ｃはカーソルを下方向に移動させる指示を与える下方指定レバー、３４ｄはカーソルを左方向に移動させる指示を与える左方指定レバー、３４ｅはカーソル位置を確定させる指示を与える確定ボタンである。
【００８０】
図１４において、Ｙ＋は上方指定レバー３４ａの指示を受けシステムコントローラ２２に上方向にカーソル移動の指示を送る上方検出スイッチ、同様にＸ＋は右方指示レバー３４ｂの指示を受けシステムコントローラ２２に右方向にカーソル移動の指示を送る右方検出スイッチ、Ｙ−は下方指示レバー３４ｃの指示を受けシステムコントローラ２２に下方向にカーソル移動の指示を送る下方検出スイッチ、Ｘ−は左方指定レバー３４ｄの指示を受けシステムコントローラ２２に左方向にカーソル移動の指示を送る左方検出スイッチ、Ｃｅｎｔｅｒは確定ボタン３４ｅの指示を受けシステムコントローラ２２にカーソル確定の指示を送る選択スイッチであり、領域指定レバー３４の各レバー３４ａ，３４ｂ，３４ｃ，３４ｄと確定ボタン３４ｅを操作することにより領域を指定することができる。
【００８１】
実際に、高画質領域を指定する方法について、図１５を用いて説明する。
【００８２】
領域指定レバー３４の中央の選択スイッチ３４ｅが押されると、領域を指定するカーソルＰ０がモニタ１８の中心に多重される（図１５（ａ））。モニタ１８に表示されたカーソルＰ０を見ながら、カーソルＰ０を移動させたい方向に領域指定レバー３４を操作する。システムコントローラ２２は、領域指定レバー３４の押圧状態を検出し、検出結果に基づいてカーソルの移動量を算出し、算出された位置にカーソルＰ０を移動させる。ここで、領域指定レバー３４の選択ボタン３４ｅが押されると高画質領域を形成する枠のポイントが確定される。同様に次のポイントを決めるため、領域指定レバーを操作しカーソルを移動させ、この作業を繰り返すことによって４点（Ｐ１，Ｐ２，Ｐ３，Ｐ４）選択する（図１５（ｂ））。そして、再度、選択スイッチ３４ｅを押すと選択された点Ｐ１，Ｐ２，Ｐ３，Ｐ４によって結ばれた領域が高画質領域として指定される（図１５（ｃ））。
【００８３】
尚、指定領域は、色や輝度を調整することにより他領域との差が、一目で確認できる。
【００８４】
ここでは、高画質領域を４点のポイントを選択することによって指定したが、この他にも丸や多角形、更には画像処理、画像認識手段により動き情報やエッジ成分や色成分を用いて特定の物や人を指定することも可能である。また、より詳細な高画質領域を指定する方法としてタッチパネルを用いてもよい。
【００８５】
続いて、高画質領域を指定するための操作を含むズーム操作に伴って実行される処理について、図１６を用いて説明する。
【００８６】
図１６は本発明の実施形態１のズーム操作に伴って実行される処理を示すフローチャートである。尚、図１６では、高画質領域が確定された後に、ズーム操作が実施された場合について説明する。
【００８７】
ステップＳ１０１において、ズーム操作が行なわれているか否かを検出する。ズーム操作が行われていない場合（ステップＳ１０１でＮＯ）、領域情報は変更されずステップＳ１１０に進む。ステップＳ１１０において、領域情報に基づいて指定領域と非指定領域を多重した表示用信号を生成する。ステップＳ１１１において、生成された表示用信号をモニタ１８に表示する。ステップＳ１１２において、領域情報に基づいて指定領域と非指定領域をそれぞれ分けて符号化処理を施して記録用信号を生成する。ステップＳ１１３において、生成された記録用信号を記録回路２４に記録し、処理を終了する。
【００８８】
一方、ズーム操作が行われている場合（ステップＳ１０１でＹＥＳ）、ステップＳ１０２に進み、ズームレバー２５の操作状態を検出し、ズームレンズ１１を駆動して変倍動作を行う。ステップＳ１０３において、ズームレンズ１１の移動量をズームエンコーダ２１により検出し、ズーム値を算出する。ステップＳ１０４において、ズーム操作によるズーム値の変更量を算出し、ズーム値の変更量に比例して領域情報を変更する。ステップＳ１０５において、変更された領域情報に基づいて指定領域と非指定領域を多重した表示用信号を生成する。ステップＳ１０６において、生成された表示用信号をモニタ１８に表示する。ステップＳ１０７において、変更された領域情報に基づいて指定領域と非指定領域をそれぞれ分けて符号化処理を施して記録用信号を生成する。ステップＳ１０８において、生成された記録用信号を記録回路２４に記録する。
【００８９】
ステップＳ１０９において、ズームレバー２５の操作状態を検出し、ズーム操作が停止しているか否か検出する。ズーム操作が停止していない場合（ステップＳ１０９でＮＯ）、ステップＳ１０２に戻り、変倍動作を続ける。
【００９０】
一方、ステップＳ１０９において、ズームレバー２５の操作状態を検出し、ズーム操作が停止している場合（ステップＳ１０９でＹＥＳ）、処理を終了する。次に、実施形態１のズーム操作に伴うモニタ１８の表示状態の変化例について、図１７を用いて説明する。また、実施形態１においてズーム操作に伴う時間的な指定領域の変化について、図１８を用いて説明する。
【００９１】
図１７は本発明の実施形態１のズーム操作に伴うモニタの表示状態の変化例を示す図であり、図１８は本発明の実施形態１の時間と指定領域サイズの関係を表したグラフを示す図である。
【００９２】
図１７（ａ）〜図１７（ｃ）では、望遠方向にズーム操作が行われた場合のモニタ１８の状態変化を示し、特に、図１７（ａ）はズーム操作前の表示状態、図１７（ｂ）はズーム操作中の指定領域（高画質領域）の変化の様子を示す表示状態、図１７（ｃ）はズーム操作終了後の表示状態を示している。また、図１８は、横軸は時間、縦軸は指定領域のサイズを示し、Ａ１はズームレバー２５が指示された時間、Ａ２はズームレバー２５の指示が解除された時間、Ｂ１はズーム操作前の指定領域のサイズ、Ｂ２はズーム終了後の指定領域のサイズを示している。
【００９３】
図１７、図１８より、ズーム操作前は指定領域のサイズがＢ１に設定されている。Ａ１で拡大の指示があるとズーム操作中（Ａ１からＡ２）、ズーム値の変化に連動して撮像画像と共に指定領域のサイズも徐々に拡大する。Ａ２で拡大の指示が解除されるとズーム操作が終了したと見なし、Ａ２の設定領域のサイズであるＢ２が以降、指定領域のサイズとして設定される。
【００９４】
以上説明したように、実施形態１によれば、画像中の指定領域を他より高画質に符号化でき、ズーム操作に連動して指定領域を自動的に制御することができる。
（実施形態２）
実施形態１では、ズーム操作に連動して指定領域を変更していたが、撮像する被写体、例えば、動きの速い被写体である場合は、ズーム操作に連動して指定領域を変更すると不自然な画像になったり、意図したところが被写体とならない場合も生じる恐れがある。そこで、実施形態２では、ズーム操作中は領域情報を更新せずに表示、符号化処理を行なう構成について説明する。
【００９５】
尚、撮像装置の構成は、実施形態１と同様であるため、その詳細については省略し、ここでは、実施形態２のズーム操作に伴って実行される処理について、図１９を用いて説明する。
【００９６】
図１９は本発明の実施形態２のズーム操作に伴って実行される処理を示すフローチャートである。
【００９７】
ステップＳ２０１において、ズーム操作が行なわれているか否かを検出する。ズーム操作が行われていない場合（ステップＳ２０１でＮＯ）、領域情報は変更されずステップＳ２１１に進む。そして、以下のステップＳ２１１〜ステップＳ２１４の処理は、実施形態１の図１６のステップＳ１１０〜ステップＳ１１３の処理と同様であるため、ここでは説明を省略する。
【００９８】
一方、ズーム操作が行われている場合（ステップＳ２０１でＹＥＳ）、ステップＳ２０２に進み、ズーム操作前の領域情報とズーム値を保持する。ステップＳ２０３において、ズームレバー２５の操作状態を検出し、ズームレンズ１１を駆動して変倍動作を行う。ステップＳ２０４において、ズームレンズ１１の移動量をズームエンコーダ２１により検出し、ズーム値を算出する。ステップＳ２０５において、ズーム操作前の領域情報に基づいて指定領域と非指定領域を多重した表示用信号を生成する。ステップＳ２０６において、生成された表示用信号をモニタ１８に表示する。ステップＳ２０７において、ズーム操作前の領域情報に基づいて指定領域と非指定領域をそれぞれ分けて符号化処理を施して記録用信号を生成する。ステップＳ２０８において、生成された記録用信号を記録回路２４に記録する。
【００９９】
ステップＳ２０９において、ズームレバー２５の操作状態を検出し、ズーム操作が停止しているか否か検出する。ズーム操作が停止していない場合（ステップＳ２０９でＮＯ）、ステップＳ２０３に戻り、変倍動作を続ける。
【０１００】
一方、ステップＳ２０９において、ズームレバー２５の操作状態を検出し、ズーム操作が停止している場合（ステップＳ２０９でＹＥＳ）、ステップＳ２１０に進む。
【０１０１】
ステップＳ２１０において、ズーム操作によるズーム値の変更量を算出し、ズーム値の変更量に比例して領域情報を変更し新たな領域情報を生成する。ステップＳ２１１において、変更された領域情報に基づいて指定領域と非指定領域を多重した表示用信号を生成する。ステップＳ２１２において、生成された表示用信号をモニタ１８に表示する。ステップＳ２１３において、変更された領域情報に基づいて指定領域と非指定領域をそれぞれ分けて符号化処理を施して記録用信号を生成する。ステップＳ２１４において、生成された記録用信号を記録回路２４に記録し、処理を終了する。
【０１０２】
次に、実施形態２のズーム操作に伴うモニタ１８の表示状態の変化例について、図２０を用いて説明する。また、実施形態２においてズーム操作に伴う時間的な指定領域の変化について、図２１を用いて説明する。
【０１０３】
図２０は本発明の実施形態２のズーム操作に伴うモニタの表示状態の変化例を示す図であり、図２１は本発明の実施形態２の時間と指定領域サイズの関係を表したグラフを示す図である。
【０１０４】
図２０（ａ）〜図２０（ｃ）では、望遠方向にズーム操作が行われた場合のモニタ１８の状態変化を示し、特に、図２０（ａ）はズーム操作前の表示状態、図２０（ｂ）はズーム操作中の指定領域（高画質領域）の変化の様子を示す表示状態、図２０（ｃ）はズーム操作終了後の表示状態を示している。また、図２１は、横軸は時間、縦軸は指定領域のサイズを示し、Ｃ１はズームレバー２５が指示された時間、Ｃ２はズームレバー２５の指示が解除された時間、Ｄ１はズーム操作前の指定領域のサイズ、Ｄ２はズーム終了後の指定領域のサイズを示している。
【０１０５】
図２０、図２１より、ズーム操作前は指定領域のサイズがＤ１に設定されている。Ｃ１で拡大の指示があると、指定領域のサイズが固定される。そして、ズーム操作中（Ａ１からＡ２）、ズーム値に応じて撮像画像は拡大されるが指定領域の固定された状態で表示される。Ｃ２で拡大の指示が解除されるとズーム操作が終了したと見なし、ズーム操作前後のズーム変更量から新たな領域情報Ｄ２が生成され、以降、指定領域のサイズとして設定されて撮像画像と多重される。
【０１０６】
以上説明したように、実施形態２によれば、画像中の指定領域を他より高画質に符号化でき、ズーム操作中は操作前の指定領域の領域情報が保持され、指定領域は変更されず、ズーム操作が終了した時点でズーム操作前後のズーム値の変化量に比例して指定領域を自動的に変更することができる。
（実施形態３）
実施形態１、２においては、ズーム操作中も指定領域と非指定領域を分けて処理していたがズーム操作中は撮像した画像にぶれが生じるなど安定した画像の供給ができなくなる恐れもある。そこで、実施形態３では、ズーム操作中は指定領域の設定を解除する構成について説明する。
【０１０７】
尚、撮像装置の構成は、実施形態１と同様であるため、その詳細については省略し、ここでは、実施形態３のズーム操作に伴って実行される処理について、図２２を用いて説明する。
【０１０８】
図２２は本発明の実施形態２のズーム操作に伴って実行される処理を示すフローチャートである。
【０１０９】
ステップＳ３０１において、ズーム操作が行なわれているか否かを検出する。ズーム操作が行われていない場合（ステップＳ３０１でＮＯ）、領域情報は変更されずステップＳ３１１に進む。そして、以下のステップＳ２１１〜ステップＳ２１４の処理は、実施形態１の図１６のステップＳ１１０〜ステップＳ１１３の処理と同様であるため、ここでは説明を省略する。そして、以下のステップＳ３１１〜ステップＳ３１４の処理は、実施形態１の図１６のステップＳ１１０〜ステップＳ１１３の処理と同様であるため、ここでは説明を省略する。
【０１１０】
一方、ズーム操作が行われている場合（ステップＳ３０１でＹＥＳ）、ステップＳ３０２に進み、ズーム操作前のズーム値を保持すると共にズーム操作前の領域情報の設定を解除する。ステップＳ３０３において、ズームレバー２５の操作状態を検出し、ズームレンズ１１を駆動して変倍動作を行う。ステップＳ３０４において、ズームレンズ１１の移動量をズームエンコーダ２１により検出し、ズーム値を算出する。ステップＳ３０５において、撮像画像全体を非指定領域として表示用信号を生成する。ステップＳ３０６において、生成された表示用信号をモニタ１８に表示する。ステップＳ３０７において、撮像画像全体を非指定領域として符号化処理を施して記録用信号を生成する。ステップＳ３０８において、生成された記録用信号を記録回路２４に記録する。
【０１１１】
ステップＳ３０９において、ズームレバー２５の操作状態を検出し、ズーム操作が停止しているか否か検出する。ズーム操作が停止していない場合（ステップＳ３０９でＮＯ）、ステップＳ３０４に戻り、変倍動作を続ける。
【０１１２】
一方、ステップＳ３０９において、ズームレバー２５の操作状態を検出し、ズーム操作が停止している場合（ステップＳ３０９でＹＥＳ）、ステップＳ３１０に進む。ステップＳ３１０において、ズーム操作によるズーム値の変更量を算出し、ズーム値の変更量に比例して新たな領域情報を生成する。ステップＳ３１１において、生成された領域情報に基づいて指定領域と非指定領域を多重した表示用信号を生成する。ステップＳ３１２において、生成された表示用信号をモニタ１８に表示する。ステップＳ３１３において、生成された領域情報に基づいて指定領域と非指定領域をそれぞれ分けて符号化処理を施して記録用信号を生成する。ステップＳ３１４において、生成された記録用信号を記録回路２４に記録し、処理を終了する。
【０１１３】
次に、実施形態３のズーム操作に伴うモニタ１８の表示状態の変化例について、図２３を用いて説明する。また、実施形態３においてズーム操作に伴う時間的な指定領域の変化について、図２４を用いて説明する。
【０１１４】
図２３は本発明の実施形態３のズーム操作に伴うモニタの表示状態の変化例を示す図であり、図２１は本発明の実施形態３の時間と指定領域サイズの関係を表したグラフを示す図である。
【０１１５】
図２３（ａ）〜図２３（ｃ）では、望遠方向にズーム操作が行われた場合のモニタ１８の状態変化を示し、特に、図２３（ａ）はズーム操作前の表示状態、図２３（ｂ）はズーム操作中の指定領域（高画質領域）の変化の様子を示す表示状態、図２３（ｃ）はズーム操作終了後の表示状態を示している。また、図２４は、横軸は時間、縦軸は指定領域のサイズを示し、Ｅ１はズームレバー２５が指示された時間、Ｅ２はズームレバー２５の指示が解除された時間、Ｆ１はズーム操作前の指定領域のサイズ、Ｆ２はズーム終了後の指定領域のサイズを示している。
【０１１６】
図２３、図２４より、ズーム操作前は指定領域のサイズがＦ１に設定されている。Ｅ１で拡大の指示があると、指定領域の領域情報が解除される。そして、ズーム操作中（Ａ１からＡ２）、ズーム値に応じて撮像画像は拡大される。Ｅ２で拡大の指示が解除されるとズーム操作が終了したと見なし、ズーム操作前後のズーム変更量から新たな領域情報Ｆ２が生成され、以降、指定領域のサイズとして設定されて撮像画像と多重される。
【０１１７】
以上説明したように、実施形態３によれば、画像中の指定領域を他より高画質に符号化でき、ズーム操作中は指定領域の領域情報が解除され、ズーム操作が終了した時点でズーム操作前後のズーム値の変化量に比例して指定領域を自動的に変更することができる。特に、高速でズーム操作を行う場合に、ズーム間露光による放射状のブレが生じ、高精細情報が撮像時点で失われている可能性が高いので、このような場合に用いるのが好適である。
【０１１８】
以上説明したように、実施形態１〜３によれば、ズーム速度に応じて高画質領域の変更を自動的に制御することが出来、それに伴い表示及び圧縮処理を変更することができる。
【０１１９】
尚、実施形態１〜３はそれぞれ独立して説明したが、各実施形態で説明した動作を任意に組み合わせて得られる動作を有する撮像装置であっても良い。その場合は、モード選択スイッチ等の各実施形態で説明した動作に切り替えるための切替手段を撮像装置に搭載することにより、被写体に応じてユーザーの好みで実行させる処理を変更するようにしても良い。
【０１２０】
尚、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１２１】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０１２２】
この場合、記憶媒体から読出されたプログラムコード自体が前述した実施形態の機能を実現することになり、そのプログラムコードを記憶した記憶媒体は本発明を構成することになる。
【０１２３】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１２４】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１２５】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１２６】
本発明を上記記憶媒体に適用する場合、その記憶媒体には、先に説明した図１６、図１９、図２２に示すフローチャートに対応するプログラムコードが格納されることになる。
【０１２７】
【発明の効果】
以上説明したように、本発明によれば、目的に応じて撮影画像中の特定領域の圧縮率を容易にかつ効率的に指定することができ、かつ処理された画像を容易に管理することができる撮像装置及びその制御方法、コンピュータ可読メモリを提供できる。
【図面の簡単な説明】
【図１】本発明の実施形態１で利用される圧縮回路の基本構成を示すブロック図である。
【図２】本発明の実施形態１の離散ウェーブレット変換部の基本構成を示す図である。
【図３】本発明の実施形態１の２次元離散ウエーブレット変換の構成を示す図である。
【図４】本発明の実施形態１の２次元離散ウェーブレット変換部の係数群の構成図である。
【図５】本発明の実施形態１のマスク情報の一例を示す図である。
【図６】本発明の実施形態１のシフトアップによる量子化インデックスの変化例を示す図である。
【図７】本発明の実施形態１のエントロピ符号化部４の動作を説明する図である。
【図８】本発明の実施形態１の撮像装置の外観図である。
【図９】本発明の実施形態１の撮像装置の構成を示すブロック図である。
【図１０】本発明の実施形態１のズームレバー検出回路の詳細構成を示す図である。
【図１１】本発明の実施形態１のモニタの出力状態例を示す図である。
【図１２】本発明の実施形態１の圧縮回路の詳細構成を示す図である。
【図１３】本発明の実施形態１の領域指定レバーの詳細図である。
【図１４】本発明の実施形態１の領域指定レバー検出回路の詳細構成を示す図である。
【図１５】本発明の実施形態１のモニタの表示画像の一例を示す図である。
【図１６】本発明の実施形態１のズーム操作に伴って実行される処理を示すフローチャートである。
【図１７】本発明の実施形態１のズーム操作に伴うモニタの表示状態の変化例を示す図である。
【図１８】本発明の実施形態１の時間と指定領域サイズの関係を表したグラフを示す図である。
【図１９】本発明の実施形態２のズーム操作に伴って実行される処理を示すフローチャートである。
【図２０】本発明の実施形態２のズーム操作に伴うモニタの表示状態の変化例を示す図である。
【図２１】本発明の実施形態２の時間と指定領域サイズの関係を表したグラフを示す図である。
【図２２】本発明の実施形態３のズーム操作に伴って実行される処理を示すフローチャートである。
【図２３】本発明の実施形態３のズーム操作に伴うモニタの表示状態の変化例を示す図である。
【図２４】本発明の実施形態３の時間と指定領域サイズの関係を表したグラフを示す図である。
【図２５】従来の撮像装置の構成を示す図である。
【図２６】従来の撮像装置における圧縮処理装置の構成を示すブロック図である。
【符号の説明】
１１  ズームレンズ
１２  フォーカスレンズ
１３  ＣＣＤ
１４  Ａ／Ｄ変換器
１５  カメラ信号処理回路
１６  バッファメモリ
１７  Ｄ／Ａ変換器
１８  モニタ
１９ａ  フォーカスモータ
１９ｂ  フォーカスモータドライバ
２０ａ  ズームモータ
２０ｂ  ズームモータドライバ
２１  ズームエンコーダ
２２  システムコントローラ
２３  圧縮回路
２４  記録回路
２５  ズームレバー
２５ａ  ワイドスイッチ
２５ｂ  テレスイッチ
３２  表示制御回路
３３  領域検出器
３４  領域指定レバー
３５ａ  ワイド指示検出部
３５ｂ  テレ指示検出部
３６  電源
３７  グランド
３８  領域指定レバー検出回路３８
３９  カムテーブル
【図１】
0004143239.tif 000002
【図２】
0004143239.tif 000003
【図３】
0004143239.tif 000004
【図４】
0004143239.tif 000005
【図５】
0004143239.tif 000006
【図６】
0004143239.tif 000007
【図７】
0004143239.tif 000008
【図８】
0004143239.tif 000009
【図９】
0004143239.tif 000010
【図１０】
0004143239.tif 000011
【図１１】
0004143239.tif 000012
【図１２】
0004143239.tif 000013
【図１３】
0004143239.tif 000014
【図１４】
0004143239.tif 000015
【図１５】
0004143239.tif 000016
【図１６】
0004143239.tif 000017
【図１７】
0004143239.tif 000018
【図１８】
0004143239.tif 000019
【図１９】
0004143239.tif 000020
【図２０】
0004143239.tif 000021
【図２１】
0004143239.tif 000022
【図２２】
0004143239.tif 000023
【図２３】
0004143239.tif 000024
【図２４】
0004143239.tif 000025
【図２５】
0004143239.tif 000026
【図２６】
0004143239.tif 000027